(57)【特許請求の範囲】
【請求項１】
通信装備が設置された基地局の室内に配置され、室内熱交換器および室内送風機を内蔵した室内機モジュールと；
前記基地局の室外に配置され、室外送風機を内蔵した室外機モジュールと；
ブライン配管を介してブライン用第１および第２室外熱交換器、第１および第２ブライン冷却器、前記室内熱交換器、並びにブラインポンプが接続されたブライン冷凍サイクルと；
第１冷媒配管を介して第１膨張弁、前記第１ブライン冷却器、第１圧縮機、および冷媒用第１室外熱交換器が接続された第１冷媒冷凍サイクルと；
第２冷媒配管を介して第２膨張弁、前記第２ブライン冷却器、第２圧縮機、および冷媒用第２室外熱交換器が接続された第２冷媒冷凍サイクルと；を含んでなり、
前記ブライン用第１室外熱交換器は前記冷媒用第１室外熱交換器に近接し、前記ブライン用第２室外熱交換器は前記冷媒用第２室外熱交換器に近接し、前記室外送風機は前記冷媒用第１室外熱交換器と前記冷媒用第２室外熱交換器との間に位置することを特徴とする、通信装備用冷房装置。
【請求項２】
対向して配置される前記冷媒用第１室外熱交換器および前記冷媒用第２室外熱交換器は、間隔をおいて内側に向かって対向するように一対となって配置され、対向して配置される前記冷媒用第１室外熱交換器の外側に配置される前記ブライン用第１室外熱交換器および前記冷媒用第２室外熱交換器の外側に配置される前記ブライン用第２室外熱交換器は、間隔をおいて内側に向かって対向するように一対となって配置され、前記室外送風機は、一対の前記冷媒用第１室外熱交換器および前記冷媒用第２室外熱交換器の中間かつ一対の前記ブライン用第１室外熱交換器および前記ブライン用第２室外熱交換器の中間に配置され、室外空気をブライン用室外熱交換器と冷媒用室外熱交換器に順次経由させて外部へ送風することを特徴とする、請求項１に記載の通信装備用冷房装置。
【請求項３】
前記基地局の室内には室内温度感知センサーが設置され、前記基地局の室外には室外温度感知センサーが設置され、前記ブライン用第１室外熱交換器の入口側の前記ブライン配管上にはブライン温度感知センサーが設置されることを特徴とする、請求項１または２に記載の通信装備用冷房装置。
【請求項４】
請求項３に記載の通信装備用冷房装置の制御方法であって、
ａ）室内温度感知センサー、室外温度感知センサーおよびブライン温度感知センサーによって基地局の室内温度、室外温度およびブライン温度をそれぞれ測定する段階と、
ｂ）前記室内温度を第１設定値と比較し、前記室内温度が第１設定値未満であれば、通信装備用冷房装置の作動を中止させる段階と、
ｃ）前記室内温度が第２設定値超過であれば、冷媒用第１室外熱交換器および第１圧縮機を作動させ、前記室内温度が第２設定値以下であれば、冷媒用第１室外熱交換器および第１圧縮機の作動を中止させる段階と、
ｄ）前記室内温度が第３設定値超過であれば、冷媒用第１および第２室外熱交換器と第１および第２圧縮機を作動させ、前記室内温度が第３設定値以下であれば、冷媒用第２室外熱交換器および第２圧縮機の作動を中止させる段階とを含んでなることを特徴とする、通信装備用冷房装置の制御方法。
【請求項５】
前記ｂ）段階の後、ｂ−１）ブライン温度が第４設定値未満であれば、前記基地局の室外に配置される室外機モジュールに内蔵された室外送風機の作動を中止させ、ブライン温度が第４設定値以上であれば、前記室外送風機を作動させる段階をさらに含むことを特徴とする、請求項４に記載の通信装備用冷房装置の制御方法。
【請求項６】
前記ｂ−１）段階の後、ｂ−２）ブライン温度が第５設定値未満であれば、前記室外送風機の作動を中止させ、ブライン温度が第５設定値以上であれば、前記室外送風機を作動させる段階をさらに含むことを特徴とする、請求項５に記載の通信装備用冷房装置の制御方法。
【発明の詳細な説明】
【技術分野】
【０００１】
本発明は、通信装備の冷房装置に係り、さらに詳しくは、相対的に小さいサイズを有し、騒音、過熱および誤作動から通信装備を安定的に保護する通信装備用冷房装置およびその制御方法に関する。
【背景技術】
【０００２】
一般に、冷房装置(air conditioner)は、冷媒が蒸発するとき周囲から熱を奪い取る蒸発熱を利用するものであって、冷媒としては通常低温でも容易に蒸発するアンモニア、フレオン、共沸混合冷媒、クロロメチルなどの液体を使用する。
【０００３】
この種の冷房装置は、圧縮機、凝縮器、膨張弁、毛細管および蒸発器を含んでなる。圧縮機は気体状態の冷媒を高圧で圧縮し、圧縮された気体状態の冷媒を凝縮器に出力する。凝縮器は圧縮された気体状態の冷媒を外気との熱交換によって液体状態の冷媒に凝縮させる。液体状態の冷媒は膨張弁および毛細管を介して低圧の噴霧状態の冷媒に変換される。
【０００４】
その後、低圧の噴霧状態の冷媒は、蒸発器に流入して内気との熱交換によって蒸発した後、さらに圧縮機に流入する。上述したように、冷媒は圧縮機、凝縮器、膨張弁および蒸発器を循環する。この際、蒸発器から発生した冷媒の蒸発熱によって冷却された空気は、送風ファンによって、冷房しようとする所定の空間または対象体に送風される。
【０００５】
すなわち、このような通常の冷房装置は、液化や蒸発などの相変化が容易な冷媒を用いて、冷房しようとする所定の空間または対象体を冷却する。
【０００６】
一般に、通信基地局または通信車両などの場合、その内部に多数の有無線通信装置が設置されるが、このような通信装備は、頻繁な熱発生によって接触不良および機器故障などの各種誤動作を誘発するおそれがあるので、作動の安定性を確保するためには２４時間年中無休で冷房させなければならない。
【０００７】
通信装備を冷却するために冷房装置を使用する。ところが、従来の通信装備用冷房装置は、外部の温度による自然状態の冷気を適切に利用せず、単純に外部電力による駆動方式を採用する。よって、従来の冷房装置はその電力浪費が激しいという欠点がある。
【先行技術文献】
【特許文献】
【０００８】
【特許文献１】特開２００４−２００３４４
【発明の概要】
【発明が解決しようとする課題】
【０００９】
本発明は、前述した従来の技術の問題点を解決するためのもので、その目的は、室外機のサイズと騒音を減らすとともに、外部温度による自然状態の冷気を適切に利用することにより、電力浪費を最小化し、通信装備の冷房状態を安定的に維持し、二重熱交換構造によって冷凍サイクル中の高温部（放熱部）の放熱効率を向上させた通信装備用冷房装置およびその制御方法を提供することにある。
【００１０】
本発明の他の目的および利点は、次の記述から理解され、本発明の実施例を参照して明らかになるであろう。また、本発明の当業者にとって明らかなように、本発明の目的および利点が請求の範囲およびその組み合わせを通じて実現できる。
【課題を解決するための手段】
【００１１】
本発明のある観点によれば、（１）通信装備が設置された基地局の室内に配置され、室内熱交換器および室内送風機を内蔵した室内機モジュールと；前記基地局の室外に配置され、室外送風機を内蔵した室外機モジュールと；ブライン配管を介してブライン用第１および第２室外熱交換器、第１および第２ブライン冷却器、前記室内熱交換器、並びにブラインポンプが接続されたブライン冷凍サイクルと；第１冷媒配管を介して膨張弁、前記第１ブライン冷却器、圧縮機、および冷媒用第１室外熱交換器が接続された第１冷媒冷凍サイクルと；第２冷媒配管を介して膨張弁、前記第２ブライン冷却器、圧縮機、および冷媒用第２室外熱交換器が接続された第２冷媒冷凍サイクルと；を含んでなり、前記ブライン用第１室外熱交換器は前記冷媒用第１室外熱交換器に近接し、前記ブライン用第２室外熱交換器は前記冷媒用第２室外熱交換器に近接し、前記室外送風機は前記冷媒用第１室外熱交換器と前記冷媒用第２室外熱交換器との間に位置することを特徴とする、通信装備用冷房装置を提供する。
【００１２】
また、本発明は（２）対向して配置される前記冷媒用第１および第２室外熱交換器と前記ブライン用第１および第２室外熱交換器は、それぞれ間隔をおいて内側に向かって対向するように一対となって配置され、前記室外送風機は、一対の熱交換器の中間に配置され、室外空気をブライン用室外熱交換器と冷媒用室外熱交換器に順次経由させて外部へ送風することを特徴とする、上記（１）に記載の通信装備用冷房装置を提供する。
【００１３】
また、本発明は（３）前記基地局の室内には室内温度感知センサーが設置され、前記基地局の室外には室外温度感知センサーが設置され、前記ブライン用第１室外熱交換器の入口側の前記ブライン配管上にはブライン温度感知センサーが設置されることを特徴とする、上記（１）又は（２）に記載の通信装備用冷房装置を提供する。
【００１４】
また、本発明は（４）通信装備用冷房装置の制御方法であって、ａ）室内温度感知センサー、室外温度感知センサーおよびブライン温度感知センサーによって基地局の室内温度、室外温度およびブライン温度をそれぞれ測定する段階と、ｂ）前記室内温度を第１設定値と比較し、前記室内温度が第１設定値未満であれば、冷房装置全体の作動を中止させる段階と、ｃ）前記室内温度が第２設定値超過であれば、冷媒用第１室外熱交換器および圧縮機を作動させ、前記室内温度が第２設定値以下であれば、冷媒用第１室外熱交換器および圧縮機の作動を中止させる段階と、ｄ）前記室内温度が第３設定値超過であれば、全体冷媒用第１および第２室外熱交換器と圧縮機を作動させ、前記室内温度が第３設定値以下であれば、冷媒用第２室外熱交換器および圧縮機の作動を中止させる段階とを含んでなることを特徴とする、通信装備用冷房装置の制御方法を提供する。
【００１５】
また、本発明は（５）前記ｂ）段階の後、ｂ−１）ブライン温度が第４設定値未満であれば、前記室外送風機の作動を中止させ、ブライン温度が第４設定値以上であれば、前記室外送風機を作動させる段階をさらに含むことを特徴とする、上記（４）に記載の通信装備用冷房装置の制御方法を提供する。
【００１６】
また、本発明は（６）前記ｂ−１）段階の後、ｂ−２）ブライン温度が第５設定値未満であれば、前記室外送風機の作動を中止させ、ブライン温度が第５設定値以上であれば、前記室外送風機を作動させる段階をさらに含むことを特徴とする、上記（５）に記載の通信装備用冷房装置の制御方法を提供する。
【００１７】
本発明の一実施例に係る通信装備用冷房装置は、物理的に室内機モジュールと室外機モジュールに分けられる。前記室内機モジュールと前記室外機モジュールには、冷凍サイクルに使用される膨張弁、蒸発器（別名として熱交換器、吸熱部、低温部）、圧縮機および凝縮器（別名として熱交換器、放熱部、高温部）が分散配置されて配管によって接続される。また、本発明の冷凍サイクルはブライン冷凍サイクルと第１および第２冷媒冷凍サイクルからなっている。ブライン冷凍サイクルは通信装備を直接冷却させるサイクルである。ブライン冷凍サイクルの放熱部は、外気を利用したブライン用第１および第２室外熱交換器と、第１および第２冷媒冷凍サイクルのブライン冷却器からなっており、ブラインを選択的に冷却する。
【００１８】
特に、放熱部において、室外送風機は、室外空気を前記ブライン用第１室外熱交換器と前記冷媒用第１室外熱交換器に順次通過させて外部に送風し、または前記ブライン用第２室外熱交換器と前記冷媒用第２室外熱交換器に順次通過させて外部に送風することにより、放熱効率を向上させるという特徴がある。
【発明の効果】
【００１９】
このように構成された本発明の通信装備用冷房装置およびその制御方法は、室外機のサイズと騒音を減らしながらも、外部温度による自然状態の冷気を適切に利用することにより電力浪費を最小化し、通信装備の冷房状態を安定的に維持し、二重熱交換構造によって冷凍サイクル中の高温部（放熱部）の放熱効率を向上させる。
【図面の簡単な説明】
【００２０】
【図１】本発明の一実施例に係る通信装備用冷房装置を示す構成図である。
【図２】本発明の一実施例に係る通信装備用冷房装置の室外機モジュールの二重熱交換構造を示す斜視図である。
【図３】本発明の一実施例に係る通信装備用冷房装置の制御方法を示すフローチャートである。
【図４】本発明の他の実施例に係る通信装備用冷房装置の制御方法を示すフローチャートである。
【図５】本発明の別の実施例に係る通信装備用冷房装置の制御方法を示すフローチャートである。
【発明を実施するための形態】
【００２１】
本発明の利点、特徴および観点は、添付図面を参照する次の実施例の説明からさらに明確に理解されるであろう。
【００２２】
図１は本発明に係る通信装備用冷房装置を示す構成図、図２は本発明に係る通信装備用冷房装置の室外機モジュールの二重熱交換構造を示す斜視図、図３、図４および図５は本発明に係る通信装備用冷房装置の制御方法を示すフローチャートである。
【００２３】
図１および図２に示すように、本発明に係る冷房装置はブライン冷凍サイクルと第１および第２冷媒冷凍サイクルからなっている。
【００２４】
ブライン冷凍サイクルは、ブライン配管１２０を介してブライン用第１および第２室外熱交換器２１０、２３０、第１および第２ブライン冷却器１５１、１５２、室内熱交換器１１０、並びにブラインポンプ２２０が接続されて構成される。前記ブライン用第１および第２室外熱交換器２１０、２３０とブライン冷却器１５１、１５２は冷凍サイクル上の放熱部または膨張部に対応し、前記室内熱交換器１１０は冷凍サイクル上の吸熱部に相当し、前記ブラインポンプ２２０は冷凍サイクル上の圧縮機に対応する。
【００２５】
第１冷媒冷凍サイクルは、第１冷媒配管１４１を介して膨張弁１３１、第１ブライン冷却器１５１、圧縮機１６１、および冷媒用第１室外熱交換器２４０が接続されて構成される。
【００２６】
第２冷媒冷凍サイクルは、第２冷媒配管１４２によって膨張弁１３２、第１ブライン冷却器１５２、圧縮機１６２、および冷媒用第２室外熱交換器２５０が接続されて構成される。
【００２７】
前記第１および第２ブライン冷却器１５１、１５２は、第１および第２冷媒冷凍サイクルとブライン冷凍サイクルで共有されており、第１および第２冷媒冷凍サイクルでは吸熱部として作用し、ブライン冷凍サイクルでは放熱部として作用する。
【００２８】
物理的に、本発明の通信装備用冷房装置は、基地局３００の室内空間に配置される室内機モジュール１００、および基地局３００の室外空間に配置される室外機モジュール２００から構成される。
【００２９】
室内機モジュール１００は室内熱交換器１１０、室内送風機１７０およびブラインポンプ２２０などを含む。
【００３０】
前記室内熱交換器１１０は、ブライン配管１２０上に設置され、その内部に備えられた熱交換用チューブ１１１がブライン配管１２０と接続される。
【００３１】
前記室内送風機１７０は、前記室内熱交換器１１０で熱交換が行われる伝熱面上に近接して配置され、室内熱交換器１１０の熱交換作用によって形成された冷気を通信装備４００側に送風する。
【００３２】
前記ブラインポンプ２２０は、前記室内機モジュール１００の室内熱交換器１１０から延長されたブライン配管１２０上に設置され、ブラインをブライン配管１２０を介して循環させる。前記ブラインポンプ２２０は、一対のブラインポンプ２２０をブライン配管１２０に並列接続させ、いずれか一方のブラインポンプ２２０に故障が発生しても他方のブラインポンプ２２０を作動させることができるようにして、基地局３００内の通信装備４００の冷房を安定的に維持することができる。場合によっては、前記ブラインポンプ２００が一つのブラインポンプからなってもよい。また、前記ブラインポンプ２００はその流入口および流出口側に調節弁が個別的に設置され、通過するブラインの流量を適切に調節するようにすることが好ましい。
【００３３】
室外機モジュール２００は、前記ブライン配管１２０上に設置されるブライン用第１および第２室外熱交換器２１０、２３０と第１および第２ブライン冷却器１５１、１５２を含む。また、室外機モジュール２００は、第１冷媒配管１４１上に設置される膨張弁１３１、第１ブライン冷却器１５１、圧縮機１６１および冷媒用第１室外熱交換器２４０を含む。さらに、室外機モジュール２００は、第２冷媒配管１４２上に設置される膨張弁１３２、第２ブライン冷却器１５２、圧縮機１６２および冷媒用第２室外熱交換器２５０を含む。
【００３４】
次に、室外機に内蔵され、ブライン冷凍サイクルに該当する機器について説明する。前記ブライン用第１室外熱交換器２１０は前記室外機モジュール２００に設置される。前記ブライン用第１室外熱交換器２１０は、前記室内機モジュール１００に内蔵されたブラインポンプ２２０とブライン配管１２０を介して接続されており、室外空気との熱交換によって放熱する。基本的に、放熱するためには室外空気の温度がブラインの温度より低くなければならない。
【００３５】
前記ブライン用第２室外熱交換器２３０は前記室外機モジュール２００に設置される。前記ブライン用第２室外熱交換器２３０は、入口側が前記ブライン用第１室外熱交換器２１０とブライン配管１２０を介して接続されており、出口側が第１ブライン冷却器１５１と接続されているため、室外空気と接触することにより放熱する。
【００３６】
前記第１ブライン冷却器１５１は、入口側が前記ブライン用第２室外熱交換器２３０とブライン配管１２０を介して接続されており、出口側が第２ブライン冷却器１５２と接続されている。一方、第１冷媒配管上の冷媒も前記第１ブライン冷却器１５１を吸熱部の作用によって流れているため、第１冷媒配管上の冷媒がブライン配管上のブラインを冷却する。
【００３７】
前記第２ブライン冷却器１５２は、入口側が前記第１ブライン冷却器１５１とブライン配管１２０を介して接続されており、出口側が室内機モジュール１００の室内熱交換器１１０と接続されている。一方、第２冷媒配管上の冷媒も前記第２ブライン冷却器１５２を吸熱部の作用によって流れているため、第２冷媒配管上の冷媒が再びブラインを冷却する。よって、ブラインが第１および第２ブライン冷却器１５１、１５２を二重に通過することができるため、ブラインの冷却程度を選択的に適切に調節することができる。
【００３８】
前記ブラインは低い凍結点を持つＣａＣｌ２やＮａＣｌなどの溶液または液体である。
【００３９】
次に、第１冷媒冷凍サイクルに該当する機器について説明する。前記膨張弁１３１は、第１冷媒配管１４１上に設置され、第１冷媒配管１４１から供給された高圧の液状冷媒を急激に低温、低圧の噴霧状態の冷媒に変換させる。本発明では、フレオン、アンモニア、共沸混合冷媒およびクロロメチルなどの一般な冷媒が使用される。
【００４０】
前記第１ブライン冷却器１５１は、その内部に熱交換用チューブ１５３が備えられ、前記膨張弁１３１から延長される第１冷媒配管１４１に接続される。この第１ブライン冷却器１５１は、蒸発器であって、低圧の噴霧状態の冷媒を蒸発させ、この際、発生する冷媒の蒸発熱によってブラインを冷却する。
【００４１】
前記圧縮機１６１は、前記第１ブライン冷却器１５１を通過した冷媒を圧縮するために、前記第１ブライン冷却器１５１から延長される第１冷媒配管１４１に接続され、気化した冷媒を高圧で圧縮する通常の圧縮機である。
【００４２】
冷媒用第１室外熱交換器２４０は、その内部に熱交換用チューブ２４１が備えられ、入口側が前記圧縮機１６１と第１冷媒配管１４１を介して接続され、出口側が前記膨張弁１３１と第１冷媒配管１４１を介して接続され、前記ブライン配管１２０上のブライン用第１室外熱交換器２１０に近接して設置され、室外空気の流入方向側面で前記ブライン用第１室外熱交換器２１０が先に室外空気と接触するように配置される。前記冷媒用第１室外熱交換器２４０は、凝縮器であって、前記圧縮機１６１から供給された高圧の冷媒を凝縮させて液化させる熱交換器の一種である。
【００４３】
第２冷媒冷凍サイクルに該当する機器は、第１冷媒冷凍サイクルに該当する機器と同様である。但し、第２ブライン冷却器１５２は、前記ブライン配管１２０上の第１ブライン冷却器１５１の出口側に位置しており、冷媒用第２室外熱交換器２５０は、前記ブライン配管１２０上のブライン用第２室外熱交換器２３０に近接して位置し、室外空気の流入方向側面で前記ブライン用第２室外熱交換器２３０が先に室外空気と接触するように配置される。すなわち、室外送風機２６０の流入側に前記室外熱交換器が設置される場合には、前記ブライン用第１および第２室外熱交換器が外側に配置され、前記冷媒用第１および第２室外熱交換器が内側に配置される（図２）。これに対し、室外送風機２６０の送出側に設置される場合には、前記ブライン用第１および第２室外熱交換器が内側に配置され、前記冷媒用第１および第２室外熱交換器が外側に配置される。
【００４４】
室外送風機２６０は、前記ブライン用第１および第２室外熱交換器２１０、２３０と冷媒用第１および第２室外熱交換器２４０、２５０の熱交換が起る伝熱面に近接して配置され、前記室外熱交換器２１０、２３０、２４０、２５０における外部室外空気の接触および熱交換効率を増大させる。
【００４５】
ここで、本発明の一実施例として、特に冷媒用第１および第２室外熱交換器２４０、２５０は、前記室外送風機２６０を挟む方式で互いに間隔をおいて室外機モジュール２００の内側（内部方向）に向かって対向するように配置され、ブライン用第１および第２室外熱交換器２１０、２３０は、前記冷媒用第１および第２室外熱交換器２４０、２５０の外側（室外機モジュール２００の外部方向、すなわち室外機モジュール２００の室外空気流入口側）にそれぞれ冷媒用第１および第２室外熱交換器２４０、２５０と対向するように配置される。これにより空間効率を高めて室外機モジュール２００のサイズを小さくすることができるうえ、室外送風機２６０の数を少なくすることができるため、騒音も一層低減させることができる。
【００４６】
室外送風機２６０は、前記冷媒用第１および第２室外熱交換器２４０、２５０間の中間、例えば図２では室外機モジュール２００の中央上部に配置される。室外送風機２６０が作動すると、室外送風機は、室外空気を室外機モジュール２００の室外空気流入口、例えば図２で熱交換器２１０、２３０の左右から吸入して上部の送風口Ｖへさらに排出することにより、室外空気が、ブライン用第１および第２室外熱交換器２１０、２３０と冷媒用第１および第２室外熱交換器２４０、２５０を順次経由した後、さらに外部へ送風されるようにする。
【００４７】
これは冷媒用第１および第２室外熱交換器２４０、２５０より相対的に低温のブライン用第１および第２室外熱交換器２１０、２３０に室外空気を先に通過させるためである。すなわち、室外空気がブライン用第１および第２室外熱交換器２１０、２３０より高温の冷媒用第１および第２室外熱交換器２４０、２５０を先に通過することにより、ブライン用第１および第２室外熱交換器２１０、２３０の熱交換効率が低下することを防止するためである。
【００４８】
次に、冷房装置を制御するための温度感知センサー、制御部（図示せず）および作動手段（図示せず）などについて説明する。
【００４９】
その冷房作用を効果的に制御するために、基地局３００の室内には室内温度感知センサー１８０が設置され、基地局の室外には室外温度感知センサー１８１が設置される。そして、ブライン温度感知センサー１８２は室外機モジュール２００内に位置し、ブライン用第１室外熱交換器２１０の入口側ブライン配管１２０に設置される。
【００５０】
前記制御部は、好ましくはマイクロプロセッサまたはＰＬＣなどの制御装置である。前記作動手段は、冷房装置の電源スイッチ、ブライン冷凍サイクル、第１冷媒冷凍サイクル（特にブラインポンプ）および第２冷媒冷凍サイクル（特に圧縮機）それぞれの電源スイッチ、室内送風機用個別スイッチ、室外送風機用個別スイッチ、およびバイパス用弁または室外空気の流入口を開閉する電動式ルーバー(louver)などである。
【００５１】
この室内温度感知センサー１８０、室外温度感知センサー１８１およびブライン温度感知センサー１８２が該当温度を感知して比較することにより、制御部（図示せず）によって室内熱交換器１１０、ブライン用第１および第２室外熱交換器２１０、２３０、冷媒用第１および第２室外熱交換器２４０、２５０、ブライン冷凍サイクル、第１および第２冷媒冷凍サイクル、並びに全体冷凍サイクルを選択的に駆動させることにより、基地局３００の内部を冷房させる。
【００５２】
図３は図１の通信装備用冷房装置の制御方法を示すフローチャートである。
【００５３】
図３を参照すると、室内温度感知センサー１８０、室外温度感知センサー１８１およびブライン温度感知センサー１８２によって基地局３００などの室内温度Ｔｉｎ、室外温度Ｔｏｕｔおよび冷房装置のブライン温度Ｔｂを測定する（Ｓ１１０）。
【００５５】
次いで、室内温度Ｔｉｎを第２設定値Ｔｓ２（例えば２６．５℃）と比較し（Ｓ１７０）、第２設定値Ｔｓ２超過であれば、冷媒用第１室外熱交換器２４０および圧縮機１６１を作動させる。すなわち、第１冷媒冷凍サイクルを作動させ（Ｓ１８０）。室内温度Ｔｉｎが第２設定値Ｔｓ２以下であれば、冷媒用第１室外熱交換器２４０および圧縮機１６１の作動を中止させる。すなわち、第１冷媒冷凍サイクルの作動を中止させる（Ｓ１９０）。
【００５６】
室内温度Ｔｉｎを第３設定値Ｔｓ３（例えば、２７．５℃）と比較し（Ｓ２００）、第３設定値Ｔｓ３超過であれば、冷媒用第１および第２室外熱交換器２４０、２５０と圧縮機１６１、１６２を作動させる。すなわち、第１および第２冷媒冷凍サイクルを作動させる（Ｓ２１０）。室内温度Ｔｉｎが第３設定値Ｔｓ３以下であれば、冷媒用第２室外熱交換器２５０および圧縮機１６２の作動を中止させる。すなわち、第２冷媒冷凍サイクルの作動を中止させる（Ｓ２２０）。
【００５７】
この際、冷媒用第２室外熱交換器２５０および圧縮機１６２の作動が中止すると、これに接続されている冷媒用第２室外熱交換器２５０内の熱交換用チューブ２５１はそれ以上利用されない。
【００５８】
前記Ｓ１９０およびＳ２２０段階は、ブライン用第１および第２室外熱交換器２１０、２３０（外気モード）の作動のみでは通信装備４００の冷房が十分でない場合に冷媒用第１室外熱交換器２４０および圧縮機１６１（第１冷媒冷凍サイクル）を補助的に作動させるとともに、ブライン用第１および第２室外熱交換器２１０、２３０、冷媒用第１室外熱交換器２４０並びに圧縮機１６１（第１冷媒冷凍サイクル）の作動のみでは通信装備４００の冷房が十分でない場合に残りの冷媒用第２室外熱交換器２５０および圧縮機１６２（第２冷媒冷凍サイクル）を補助的に作動させることにより、全体的な熱交換効率を一定の水準に保持させるためのものである。
【００５９】
一方、室内熱交換器１１０と室内送風機１７０は、通信装備４００の方向に冷気を送風するために、冷房装備全体の電源ＯＮ／ＯＦＦによって同時にターンオン／オフされる。
【００６０】
ここで、基地局３００の室内の第１設定値Ｔｓ１、第２設定値Ｔｓ２および第３設定値Ｔｓ３は、例えば２５℃、２６．５℃、２７．５℃など、基地局３００の室内に設置された各種通信装備に応じて多様な変更が可能であろう。
【００６１】
前記Ｓ１３０、Ｓ１９０、Ｓ２１０およびＳ２２０段階は、室内温度Ｔｉｎの条件に応じてＳ１１０段階にリターンさせてその全段階を繰り返し行うことにより、外気モード（ブライン用第１および第２室外熱交換器２１０、２３０）、第１冷媒冷凍サイクル（冷媒用第１室外熱交換器２４０および圧縮機１６１）、第２冷媒冷凍サイクル（冷媒用第２室外熱交換器２５０および圧縮機１６２）の作動に応じて変化する基地局３００の室内温度に実時間にて対応することができるようにする。
【００６２】
図４は本発明の他の実施例に係る通信装備用冷房装置の制御方法を示すフローチャートである。
【００６３】
図４を参照すると、ブライン温度Ｔｂを第４設定値Ｔｓ４（例えば２〜７℃の範囲内で設定）と比較し（Ｓ２３０）、ブライン温度Ｔｂが第４設定値Ｔｓ４未満であれば、室外送風機２６０の作動を中止させ（Ｓ２４０）、ブライン温度Ｔｂが第４設定値Ｔｓ４以上であれば、室外送風機２６０を作動させる（Ｓ２５０）。
【００６４】
ブライン温度Ｔｂが第４設定値Ｔｓ４未満の場合には、無条件室外送風機２４０の作動を中止させることにより（Ｓ２４０）、ブラインが冬季時の低い室外温度によって急に冷却されてブライン配管１２０が凍って破裂することを防止する。
【００６５】
さらに好ましくは、図５に示すように、ブライン温度Ｔｂが第４設定値Ｔｓ４以上の場合には、ブライン温度Ｔｂを第５設定値Ｔｓ５（例えば１０〜１５℃の範囲内で設定）と比較し（Ｓ２５０）、ブライン温度Ｔｂが第５設定値Ｔｓ５未満であれば、室外送風機２６０の作動を中止させ（Ｓ２４０）、ブライン温度Ｔｂが第５設定値Ｔｓ５以上であれば、室外送風機２６０を作動させる（Ｓ２５０'）。
【００６６】
前記Ｓ２５０およびＳ２５０'段階は、室外送風機２６０のあまり頻繁なＯＮ／ＯＦＦ反復作動の際に室外送風機２６０側に過負荷、振動または各種騒音などが発生することを防止する。
【００６７】
上述したように、本発明は、基地局内の通信装備を冷却させるために基本的に室外空気を最大限活用する方式を採用しており、これに加え、二重の室内、室外熱交換器１１０、２１０、２３０、２４０、２５０を使用することにより、通信装備４００の微細な温度変化にも緊密に対応することができるうえ、熱交換器が相互補完的に作用して常に安定的な冷房状態を維持することができる。
以上、本発明の特定の好適な実施例について説明したが、当業者であれば、添付した請求の範囲に開示された本発明の精神と範囲から逸脱することなく、様々な変形および変更を加え得ることを理解するであろう。
【符号の説明】
【００６８】
１００  室内機モジュール
１１０  室内熱交換器
１２０  ブライン配管
１５１  第１ブライン冷却器
１５２  第２ブライン冷却器
１６１、１６２  圧縮機
１７０  室内送風機
２００  室外機モジュール
２１０  ブライン用第１室外熱交換器
２３０  ブライン用第２室外熱交換器
２２０  ブラインポンプ
２４０  冷媒用第１室外熱交換器
２５０  冷媒用第２室外熱交換器
３００  基地局
【図１】
0004839406.tif 000002
【図２】
0004839406.tif 000003
【図３】
0004839406.tif 000004
【図４】
0004839406.tif 000005
【図５】
0004839406.tif 000006